(57)【要約】      （修正有）【課題】扇風機のファンヘッドの連結装置を提供する。【解決手段】扇風機のファンヘッド１の連結装置３は、主に、連接具４と、結合座５とを備え、結合座の頂面から下向きに結合溝５２が凹設され、結合溝は連接具の枢支回転盤４２の嵌め込みに供されると共に、枢結軸５４が両者を貫き抜けて両者を枢結する。枢支回転盤にて枢結軸の軸心から距離隔てた箇所に軸方向配置される装着孔４２１を設け、装着孔内にばね４２２と位置決めボール４２３とが嵌め込まれ、ばねによって位置決めボールの一部球面が装着孔外へ露出するように押し出され、結合溝の装着孔に対向する一方の内壁に、耐摩耗性を持つ当て板５５が固定され、当て板の位置決めボールに対応する位置に、上記距離に等しい距離おきに、かつ同心状に配列されて位置決めボールの位置到達時での係合位置決めのための複数の位置決め孔５５０が設けられる。枢支回転盤の他側の盤面にねじりばね４２４が位置決めされ、ねじりばねの一端が枢支回転盤の係止壁４２５に接触固定され、その他端が結合溝内の位置決め箇所に固定される。【選択図】図３
0003214594.tif 000002
【実用新案登録請求の範囲】
【請求項１】
ファンヘッドと、支持パイプとを連結するために用いる扇風機のファンヘッドの連結装置であって、
前記連結装置は、連接具と、結合座とを備え、
前記連接具は、片側が前記ファンヘッドの下向きに突出するスタッドに連接され、他側に枢支回転盤が設けられ、前記枢支回転盤の中央部に円孔を有し、片側の盤面にて前記円孔の円心から距離隔てた箇所に軸方向配置される装着孔を設け、前記装着孔内にばねと位置決めボールとが嵌め込まれ、前記ばねによって前記位置決めボールの一部球面が前記装着孔外へ露出するように押し出され、前記枢支回転盤の他側の盤面にねじりばねが位置決めされ、前記ねじりばねは第１端と第２端とを有し、前記第１端が前記枢支回転盤の係止壁に当着固定され、前記第２端が前記結合座の位置決め箇所に固定され、前記ねじりばねによって前記ファンヘッドを持ち上げる力を発生させ、
前記結合座は、底端が前記支持パイプの頂端に結合固定され、前記結合座の頂面から下向きに開放入口を有する結合溝が凹設され、前記結合溝は前記枢支回転盤の嵌め込みに供され、前記結合溝を構成する左右の両フランクは、前記円孔に対応する位置にそれぞれ挿通孔を有すると共に、枢結軸が前記挿通孔と前記円孔とを貫通することにより、前記枢支回転盤を前記結合溝内に枢支し、前記結合溝の前記装着孔に対向する一方の内壁に、かつ前記一方に位置する当該フランクのそばに、耐摩耗性を持つ当て板が固定され、前記当て板は、前記枢結軸の貫通のための軸孔を有し、かつ前記当て板の前記位置決めボールに対応する位置に、前記円孔の円心から装着孔までの距離に等しい距離おきに、かつ同心円状に分散配列されて前記位置決めボールの位置到達時での係合位置決めのための複数の位置決め孔が設けられることを特徴とする、扇風機のファンヘッドの連結装置。
【請求項２】
前記連接具の前記スタッドに結合する一側に、縦方向設置される挿入孔を有し、前記挿入孔の内側孔壁の下方近傍位置に、互いに対応し、かつ孔内に向いて突出している一対の当てリップが設けられ、前記一対の当てリップの頂面から下向きに傾斜延出してテーパ面が形成され、前記一対の当てリップの底面が平面であり、前記スタッドを上から下に前記挿入孔内に挿入し、前記スタッドの前記挿入孔の上方孔口に対応する箇所に係止リングが外突してなり、前記スタッドの外壁における前記一対の当てリップに対応する位置に、一輪のネック凹状部が内凹み状に形成され、前記スタッドを前記挿入孔内に差し込む時に、前記係止リングが前記上方孔口に位置する位置によって制限され、そして前記一対の当てリップが突出していて前記ネック凹状部内に固定されることを特徴とする、請求項１に記載の扇風機のファンヘッドの連結装置。
【請求項３】
前記結合溝の電源コードの引出端のための溝底面に係止仕切り壁が上向きに突設され、前記係止仕切り壁の上方に位置する前記左右の両フランクの向かい合う壁面には、個々に前記結合溝の内部に向いて弾性を持つ押えフックが突設され、前記電源コードの前記係止仕切り壁に位置する箇所に拡大頭部が設けられ、前記拡大頭部の底面に切欠き口を形成し、前記係止仕切り壁が前記切欠き口内に嵌め込まれるようにして、前記拡大頭部の頂面が前記２つの押えフックの弾性によって押し下げられることで、前記電源コードの前記拡大頭部がクリック式に位置決めされることを特徴とする、請求項１または請求項２に記載の扇風機のファンヘッドの連結装置。
【請求項４】
前記枢支回転盤の前記ねじりばねが結合される側の盤面に、前記円心の外周縁に沿う位置に一輪の支持リングが外突してなり、前記支持リングの外周は、前記ねじりばねの中央中空部による被覆固定に供されることを特徴とする、請求項１に記載の扇風機のファンヘッドの連結装置。
【請求項５】
前記結合溝の溝底面にて前記ねじりばねの前記第２端に対応する側に、前記第２端の嵌め込み位置決めを行うための位置決め溝が設けられることを特徴とする、請求項１または請求項４に記載の扇風機のファンヘッドの連結装置。
【請求項６】
前記結合座の底端には、前記支持パイプの頂端が差し込まれた後、側端から螺着具を螺入して結合固定し、前記結合座を前記支持パイプの頂端に固定させるための接続口を有することを特徴とする、請求項１に記載の扇風機のファンヘッドの連結装置。
【考案の詳細な説明】
【技術分野】
【０００１】
本考案は、扇風機のファンヘッドの連結装置に係り、特に、ファンヘッドの仰角の調整及び位置決めをより確実に行え、さらに角度調整や枢支回転の際に、互いの接触面に対する保護性を保ちながら、プラスチックパーツに対して摩耗損傷が生じない連結装置に関し、または、ファンヘッドのモータのスタッドと連接具との組立てを簡単で手軽に行え、電源コードが結合座を通る時に、係着装置によって固定されるので、固定に便利な効果を有する連結装置に関する。
【背景技術】
【０００２】
従来から、扇風機のファンヘッドと支持パイプとの間に連結装置が設けられ、前記連結装置の設置により、両者を結合するほかに、また前記ファンヘッドの仰角を調整することもでき、使用者の必要に応じて前記扇風機の風向き方向を調整することが可能となっている。
【０００３】
このような従来の連結装置が金属材質で作製される場合、幾つかの位置調整孔が外部に露出してしまい、美観が損なわれてしまう。一方、プラスチック材質で作製される場合、角度調整や枢支回転の際に、互いに接触する面に摩耗損傷が発生し、時間が経つにつれて結合間隙が拡大されてしまうため、位置決めを確実に行えなくなる不都合が生じる。
【０００４】
そこで、本考案者は、これに鑑みて設計改良を繰り返した結果、遂に本考案を完成させるに至った。
【考案の概要】
【考案が解決しようとする課題】
【０００５】
これゆえ、本考案の主要な考案目的は、ファンヘッドの仰角の調整及び位置決めをより確実に行え、さらに角度調整や枢支回転の際に、互いの接触面に対する保護性を保ちながら、プラスチックパーツに対して摩耗損傷が生じない扇風機のファンヘッドの連結装置を提供することである。
【０００６】
本考案の別の考案目的は、ファンヘッドのモータのスタッドと連接具との組立てをより簡単で手軽に行える扇風機のファンヘッドの連結装置を提供することである。
【０００７】
本考案のさらに別の考案目的は、電源コードが結合座を通る時に、係着装置によって固定されるので、電源コードの固定に便利な効果を有する扇風機のファンヘッドの連結装置を提供することである。
【課題を解決するための手段】
【０００８】
本考案の主要な特徴は、連結装置の連接具と結合座との間の結合であり、前記結合座の頂面から下向きに結合溝が凹設され、前記結合溝は前記連接具の枢支回転盤の嵌め込みに供されると共に、枢結軸が両者を貫き抜けて両者を枢結する。前記枢支回転盤の盤面にて前記枢結軸の軸心から距離隔てた箇所に軸方向配置される装着孔を設け、前記装着孔内にばねと位置決めボールとが嵌め込まれ、前記ばねによって前記位置決めボールの一部球面が前記装着孔外へ露出するように押し出され、前記結合溝の前記装着孔に対向する一方の内壁に、耐摩耗性を持つ当て板が固定され、前記当て板の上記位置決めボールに対応する位置に、上記距離に等しい距離おきに、かつ同心状に配列されて前記位置決めボールの位置到達時での係合位置決めのための複数の位置決め孔が設けられる。前記連接具の前記枢支回転盤の他側の盤面にねじりばねが位置決めされ、前記ねじりばねの一端が前記枢支回転盤の係止壁に接触固定され、その他端が前記結合溝内の位置決め箇所に固定されることで、前記ねじりばねによって前記ファンヘッドを持ち上げる力を発生させ、かつファンヘッドの仰角角度を調整した後、前記位置決めボールは、それに便乗して対応する位置にある位置決め孔内に係合されることにより、前記ファンヘッドの仰角を固定するものであり、かつ前記当て板は、プラスチック材質の前記結合溝の内壁を保護することができるものである。
【考案の効果】
【０００９】
本考案は、応用上、少なくとも下記の利点及び効果を有する。
１．ファンヘッド１の仰角の調整が便利であり、かつ定位置到達時に固定をより確実に行える。
２．当て板５５の設置により、連接具４と結合座５との間に摩耗損傷を生じさせることがない。
３．スタッド１０と連接具４との間の結合を簡単で手軽に行える。
４．電源コード６の拡大頭部６０と結合座５との間の結合位置決めが、クリック式によるロックした位置決めなので、取り付けに便利である。
【図面の簡単な説明】
【００１０】
【図１】本考案の実施例を示す側面図である。
【図２】本考案の実施例を示す後面斜視図である。
【図３】図２を示す斜視分解図である。
【図４】本考案の実施例に係る結合座と支持パイプとの結合を示す斜視図である。
【図４Ａ】図４を示す後面図である。
【図５】本考案の実施例に係るスタッドと連接具との結合を示す作動図である（未当接）。
【図５Ａ】本考案の実施例に係るスタッドと連接具との結合を示す作動図である（当接済）。
【図６】本考案の実施例に係るねじりばねの位置決めを示す構成図である。
【図６Ａ】本考案の実施例に係る当て板を示す構成図である（位置決めボール含め）。
【図７Ａ】本考案の実施例に係るファンヘッドの仰角変化図である。
【図７Ｂ】本考案の実施例に係るファンヘッドの仰角変化図である。
【図７Ｃ】本考案の実施例に係るファンヘッドの仰角変化図である。
【図７Ｄ】本考案の実施例に係るファンヘッドの仰角変化図である。
【考案を実施するための形態】
【００１１】
上記の目的及び効果を達成するために、以下に本考案を、実施例を挙げて図面と共に説明する。
【００１２】
図１〜図３に示す本考案の実施例に係る扇風機のファンヘッド１と支持パイプ２との間に設置される連結装置３を参照し、これらの図に示すように、前記連結装置３は、連接具４と、結合座５とを備える。
【００１３】
なお、前記連接具４は、片側に縦方向設置される挿入孔４０（図５、図５Ａ参照）を有し、前記挿入孔４０の内側孔壁の下方近傍位置に、互いに対応し、かつ孔内に向いて突出している一対の当てリップ４１が設けられ、当てリップ４１の頂面から下向きに傾斜延出してテーパ面４１０が形成され、当てリップ４１の底面が平面である。ファンヘッド１内のモータから下向きに突出するスタッド１０（図５、図５Ａを合わせて参照）を、上から下に前記挿入孔４０内に挿入し、前記スタッド１０の上記挿入孔４０の上方孔口に対応する箇所に係止リング１１が外突してなり、前記スタッド１０の外壁における当てリップ４１に対応する位置に、一輪のネック凹状部１２が内凹み状に形成され、これにより、前記係止リング１１が前記上方孔口に位置する位置によって制限され、そして当てリップ４１が前記ネック凹状部１２内に突出していることで、前記連接具４がファンヘッド１の底端に結合される。前記連接具４の他側に枢支回転盤４２（図３参照）が設けられ、前記枢支回転盤４２の形状が円形であってもよく、その中央部に円孔４２０を有し、前記枢支回転盤４２の片側の盤面にて前記円孔４２０の円心から距離隔てた箇所に軸方向配置される装着孔４２１を設け、前記装着孔４２１内にばね４２２と位置決めボール４２３とが嵌め込まれ、前記ばね４２２によって前記位置決めボール４２３の一部球面が前記装着孔４２１外へ露出するように押し出され、前記枢支回転盤４２の他側の盤面に、前記円心４２０の外周縁に沿う位置に一輪の支持リング４２６（図６参照）が外突してなり、前記支持リング４２６の外周は、前記ねじりばね４２４の中央中空部による被覆固定に供される。前記ねじりばね４２４は第１端４２４ａと第２端４２４ｂとを有し、前記第１端４２４ａが前記枢支回転盤４２の係止壁４２５に当着固定され、前記第２端４２４ｂが前記結合座５の位置決め箇所に固定されることで、前記ねじりばね４２４によって前記ファンヘッド１を持ち上げる力を発生させる。
【００１４】
また、結合座５（図４、図４Ａ参照）は、その底端には、前記支持パイプ２の頂端が差し込まれた後、側端から螺着具５１を螺入して結合固定し、前記結合座５を前記支持パイプ２の頂端に固定させるための接続口５０を有し、そして前記支持パイプ２の底端を扇風機の底座に結合させる。前記結合座５の頂面から下向きに開放入口を有する結合溝５２が凹設され、前記結合溝５２は前記枢支回転盤４２の嵌め込みに供され、前記結合溝５２を構成する左右の両フランク５３，５３は、上記円孔４２０に対応する位置にそれぞれ挿通孔５３０を有すると共に、枢結軸５４が挿通孔５３０と円孔４２０とを貫通することにより、前記枢支回転盤４２を前記結合溝５２内に枢支する。前記結合溝５２の溝底面にてねじりばね４２４に対応する側に、上記ねじりばね４２４のかかる第２端４２４ｂの嵌め込み位置決めを行うための位置決め溝５２０が設けられる。前記結合溝５２の電源コード６の引出端のための溝底面に係止仕切り壁５２１が上向きに突設され、前記係止仕切り壁５２１の上方に位置する前記左右の両フランク５３，５３の向かい合う壁面には、個々に前記結合溝５２の内部に向いて弾性を持つ押えフック５２２，５２２が突設される。前記電源コード６の前記係止仕切り壁５２１に位置する箇所に拡大頭部６０が設けられ、前記拡大頭部６０は、電源コード６のモータ接続端が引っ張られて断線するなどのトラブルを未然に防止するために設けられるものであり、前記拡大頭部６０の底面に切欠き口６１を形成し、前記係止仕切り壁５２１が前記切欠き口６１内に嵌め込まれるようにして、さらに前記拡大頭部６０の頂面が前記２つの押えフック５２２，５２２の弾性によって押し下げられることで、前記電源コード６の前記拡大頭部６０がクリック式に位置決めされるので、位置決めを簡単で手軽に行える効果を有する。また、前記結合溝５２の前記装着孔４２１に対向する一方の内壁（即ち、前記一方に位置する当該フランク５３のそば）に、耐摩耗性を持つ（例えば、金属材質の）当て板５５が固定され（図３、図４、図６Ａ参照）、前記当て板５５は、前記枢結軸５４の貫通のための軸孔５５１を有し、かつ前記当て板５５の上記位置決めボール４２３に対応する位置に、上記円孔４２０の円心から装着孔４２１までの距離に等しい距離おきに、かつ同心円状に分散配列されて前記位置決めボール４２３の位置到達時での係合位置決めのための複数の位置決め孔５５０が設けられる。
【００１５】
連接具４とファンヘッド１とを組み立てる際には、前記スタッド１０を挿入孔４０内に係入するだけで、即ち、前記スタッド１０においてネック凹状部１２が前記当てリップ４１によって係合されること、及び係止リング１１が前記挿入孔４０の上方孔口近傍に位置することにより、連接具４とファンヘッド１とを相互に結合固定することができる（図５Ａ参照）。また、結合座５と支持パイプ２とを組み立てる際には、支持パイプ２の上端を接続口５０内に挿入すると共に、螺着具５１で両者を接合すればよい（図４参照）。さらに、連接具４と結合座５とを組み立てる際には、前記連接具４の枢支回転盤４２にねじりばね４２４、ばね４２２及び位置決めボール４２３を取り付け、かつ前記当て板５５を前記結合溝５２の内壁（フランク５３）に固定した後、それから前記枢支回転盤４２を前記結合座５の結合溝５２内に嵌め込むことで、前記ねじりばね４２４の上記第２端４２４ｂが前記位置決め溝５２０内に係合されるため、もって枢結軸５４が挿通孔５３０と円孔４２０とを貫通することによれば、前記枢支回転盤４２を前記結合溝５２内に枢支することができる。
【００１６】
ファンヘッド１の仰角を調整する際には（図７Ａ、図７Ｂ、図７Ｃ、図７Ｄ参照）、ファンヘッド１を手で支えるだけで、ねじりばね４２４の弾力に対抗してある角度回動すると、即ち、前記枢支回転盤４２は、前記結合溝５２内に枢結軸５４を円心として枢支回転し、かつある角度枢支回転した後、前記位置決めボール４２３がばね４２２による押し出しを受けて対応する前記当て板５５の位置決め孔５５０内に係合され、これによって至るところにファンヘッド１の仰角を調整した後、直ちに位置決めされる効果を奏するものである。さらに、枢支回転行程中に、前記当て板５５が耐摩耗性を持つので、摩耗損傷を負うおそれがない。
【００１７】
以上を総合すると、本考案は、新規性があるのみならず、かつ実用性及び進歩性のある実用新案であるため、ここに法に従って実用新案登録請求を出願する。本願考案につき、何卒ご審査の上、実用新案登録査定の決定をなされるようお願いする次第であります。
【符号の説明】
【００１８】
１ファンヘッド
２支持パイプ
３連結装置
４連接具
５結合座
４０挿入孔
４１当てリップ
４１０テーパ面
１０スタッド
１１係止リング
１２ネック凹状部
４２枢支回転盤
４２０円孔
４２１装着孔
４２２ばね
４２３位置決めボール
４２４ねじりばね
４２４ａ第１端
４２４ｂ第２端
４２５係止壁
４２６支持リング
５０接続口
５１螺着具
５２結合溝
５３フランク
５３０挿通孔
５４枢結軸
５２０位置決め溝
６電源コード
５２１係止仕切り壁
５２２押えフック
６０拡大頭部
６１切欠き口
５５当て板
５５０位置決め孔
５５１軸孔
【図１】
0003214594.tif 000003
【図２】
0003214594.tif 000004
【図３】
0003214594.tif 000005
【図４】
0003214594.tif 000006
【図４Ａ】
0003214594.tif 000007
【図５】
0003214594.tif 000008
【図５Ａ】
0003214594.tif 000009
【図６】
0003214594.tif 000010
【図６Ａ】
0003214594.tif 000011
【図７Ａ】
0003214594.tif 000012
【図７Ｂ】
0003214594.tif 000013
【図７Ｃ】
0003214594.tif 000014
【図７Ｄ】
0003214594.tif 000015